(57)【特許請求の範囲】
【請求項１】
流入口、流出口および弁体を有する水栓本体を少なくともハウジング内に収容する一方、前記流出口から送出可能な水の流量を調整する流量調整部材を設けるとともに、前記流入口と水を供給するための配管とを接続する接続部を設け、給水ホースの上流端に設けられた継手部材が着脱自在である継手部を前記流出口に接続してなり、
更に、前記ハウジングは、底部に前記接続部と前記配管の接続を許容する大きさの接続開口を有するとともに、少なくとも前記水栓本体が収容可能な大きさの収容空間を有するハウジング本体と、このハウジング本体の前面開口、および壁や床あるいはパネルに設けた穴を被覆するカバープレートとを備え、
このカバープレートは前記流量調整部材および継手部がそれぞれ配置される二つの開口を有する一方、
前記接続部は、その下端が前記ハウジング本体の前記底部より上側に位置するよう設けられ、
前記配管と前記接続部の接続部分からの漏水を案内して前記ハウジング本体の外に排出するための漏水案内部材が、前記ハウジング本体の前記底部に着脱自在に設けられており、
前記配管が、
樹脂パイプと、
樹脂パイプが挿通した状態で樹脂パイプを配管経路上にガイドするとともに保護する機能を有し、鞘管ホルダによって支持される蛇腹状の鞘管とよりなる水道用コンセントであって、
前記鞘管ホルダを前記ハウジング本体の前記底部に着脱自在に設けるとともに、前記漏水案内部材を前記ハウジング本体の前記底部および前記鞘管ホルダに着脱自在に設ける一方、
前記前面開口を形成する周縁部の外枠部が壁や床あるいはパネルの裏面側から壁や床あるいはパネルの裏面に当接する状態で、前記ハウジング本体は壁や床あるいはパネルの裏面側に設置されていることを特徴とする水道用コンセント。
【請求項２】
前記ハウジング本体に固定された状態で前記ハウジング本体とで壁や床あるいはパネルを挟むとともに、前記カバープレートで覆われるよう構成された枠体を設け、
また、前記漏水案内部材は、
前記接続開口の開口部分に挿入可能で、樹脂パイプが挿嵌可能な大きさの径を持つ挿入穴部と、
前記接続部分から樹脂パイプの外周面を伝わってきた漏水の受け部と、
漏水を前記枠体および前記カバープレート間の隙間を通って前記ハウジング本体の外に排出するために前記受け部の漏水を前記隙間に案内する案内部とを有する請求項１に記載の水道用コンセント。
【請求項３】
前記鞘管ホルダは、上部に開口部分を有し、下部に係合部分を有し、 更に、前記開口部分は、前記ハウジング本体の前記底部に形成された前記接続開口に嵌め込み可能な大きさを有する一方、前記係合部分は、前記鞘管に形成されている外周溝のうち最下流に位置する外周溝に係合するよう構成されており、
また、前記開口部分は、前記接続開口の周縁に前記鞘管ホルダを係止させるための係止爪部分を有する請求項２に記載の水道用コンセント。
【発明の詳細な説明】
【０００１】
【発明の属する技術分野】
この発明は、浄水器、食器洗い機、湯沸器、洗濯機などの機器の給水ホースへ給水できる水道用コンセントに関する。
【０００２】
【従来の技術】
従来この種の水道用コンセントとして、ハウジングと、このハウジング内に収容され、流入口、流出口および弁体を有する水栓本体と、流出口から送出可能な水の流量を調整するための流量調整部材と、この流量調整部材の開閉操作を弁体に伝達するための伝達機構と、流出口に固定されており、例えば洗濯機の給水ホースの上流端に設けられた継手部材が着脱自在である継手部とを備え、例えば家屋の内壁に形成した取り付け開口に取り付けられるよう構成されたものがある。
【０００３】
【発明が解決しようとする課題】
しかし、前記流量調整部材として弁棒に設けたギアに噛合した回動式のレバーを用いてこれを弁棒の軸心のまわりに回動させる構成を採用している場合、ハウジング内の収容空間をできるだけ大型化させないために前記レバーのハウジングの内壁からの前出しがきわだっていた。
【０００４】
また、水栓本体と配管とを接続する接続部がハウジングの底部より上側に位置させた状態で接続部を水栓本体とともにハウジング内に収容配置されている状態では、ハウジングは、前記水栓本体と前記接続部が収容可能な大きさで、かつ、コンパクト化のためにできるだけ余分な空間を残さないよう設定されており、前記接続部よりも大きな接続部を収容する空間がハウジング内になかった。そのため、施工業者によっては、前記接続部よりも大きな接続部を使用する場合もあり、当該水道用コンセントは施工できなかった。
【０００５】
この発明は上述の事柄に留意してなされたもので、その目的は、前出しの少ない汎用性のある水道用コンセントを提供することである。
【０００６】
【課題を解決するための手段】
上記目的を達成するために、この発明は、流入口、流出口および弁体を有する水栓本体を少なくともハウジング内に収容する一方、前記流出口から送出可能な水の流量を調整する流量調整部材を設けるとともに、前記流入口と水を供給するための配管とを接続する接続部を設け、給水ホースの上流端に設けられた継手部材が着脱自在である継手部を前記流出口に接続してなり、
更に、前記ハウジングは、底部に前記接続部と前記配管の接続を許容する大きさの接続開口を有するとともに、少なくとも前記水栓本体が収容可能な大きさの収容空間を有するハウジング本体と、このハウジング本体の前面開口、および壁や床あるいはパネルに設けた穴を被覆するカバープレートとを備え、
このカバープレートは前記流量調整部材および継手部がそれぞれ配置される二つの開口を有する一方、
前記接続部は、その下端が前記ハウジング本体の前記底部より上側に位置するよう設けられ、
前記配管と前記接続部の接続部分からの漏水を案内して前記ハウジング本体の外に排出するための漏水案内部材が、前記ハウジング本体の前記底部に着脱自在に設けられており、前記配管が、
樹脂パイプと、樹脂パイプが挿通した状態で樹脂パイプを配管経路上にガイドするとともに保護する機能を有し、鞘管ホルダによって支持される蛇腹状の鞘管とよりなる水道用コンセントであって、
前記鞘管ホルダを前記ハウジング本体の前記底部に着脱自在に設けるとともに、前記漏水案内部材を前記ハウジング本体の前記底部および前記鞘管ホルダに着脱自在に設ける一方、
前記前面開口を形成する周縁部の外枠部が壁や床あるいはパネルの裏面側から壁や床あるいはパネルの裏面に当接する状態で、前記ハウジング本体は壁や床あるいはパネルの裏面側に設置されていることを特徴としている（請求項１）。
この発明では、前記ハウジング本体に固定された状態で前記ハウジング本体とで壁Ｗや床あるいはパネルを挟むとともに、前記カバープレートで覆われるよう構成された枠体を設け、
また、前記漏水案内部材は、
前記接続開口の開口部分に挿入可能で、樹脂パイプが挿嵌可能な大きさの径を持つ挿入穴部と、
前記接続部分から樹脂パイプの外周面を伝わってきた漏水の受け部と、
漏水を前記枠体および前記カバープレート間の隙間を通って前記ハウジング本体の外に排出するために前記受け部の漏水を前記隙間に案内する案内部とを有するのが好ましい（請求項２）。
また、この発明では、前記鞘管ホルダは、上部に開口部分を有し、下部に係合部分を有し、更に、前記開口部分は、前記ハウジング本体の前記底部に形成された前記接続開口に嵌め込み可能な大きさを有する一方、前記係合部分は、前記鞘管に形成されている外周溝のうち最下流に位置する外周溝に係合するよう構成されており、
また、前記開口部分は、前記接続開口の周縁に前記鞘管ホルダを係止させるための係止爪部分を有するのが好ましい（請求項３）。
【０００７】
【発明の実施の形態】
以下、この発明の実施形態を、図を参照しながら説明する。
【０００８】
図１〜図６は、水栓本体の流入口と水を供給するための配管とを接続する接続部が水栓本体とともに収容され、異なる大きさの前記接続部に対して兼用できるよう大きさが設定されている接続開口を底部に有するハウジング本体を備えている第１の参考例を示す。
【０００９】
図１〜図６において、１は、水道用コンセント２のハウジングで、樹脂製である。水道用コンセント２は、壁Ｗや床あるいはパネルに設けた穴Ｈを介して設置される。前記ハウジング１は、ハウジング本体３と、このハウジング本体３の矩形形状をした前面開口３ａを形成する周縁部７５を覆う枠体４を介して前面開口３ａを被覆するカバープレート（化粧プレート）５とより主としてなる。
更に、前記枠体４は、前面開口３ａとほぼ同じ大きさの開口４ａを有するとともに、四隅にねじ挿通孔４ｃを有する。また、前記周縁部７５は、外枠部７３と、この外枠部７３の内側より前方に突出形成された突出枠部７２とよりなるとともに、枠体４をねじ６によってハウジング本体３に固定するためのねじ孔（図示せず）を突出枠部７２の四隅に有する。
なお、前記外枠部７３は、枠体４とで最大厚みがｊ’までの壁Ｗや床あるいはパネルを挟む機能を有するもので、外形および内形が共に矩形であり、幅ｊ、厚みｔを有する。前記外枠部７３は、上板部分７３ａと下板部分７３ｂと左板部分７３ｃと右板部分７３ｄよりなる。一方、前記突出枠部７２は、前記左板部分７３ｃおよび右板部分７３ｄのそれぞれ内形側より前方に突出形成された左枠部分７２ａおよび右枠部分７２ｂと、前記下板部分７３ｂの内形側より前方に突出形成された下枠部分７２ｃとより構成され、前記最大厚みｊ’とほぼ同一の突出幅、厚みｔ’を有する。そして、水道用コンセント２が設置される壁Ｗや床あるいはパネルが前記厚みｊ’より小さな厚みを有するものであれば、不足分の厚みをスペーサ（特願２０００−１１１２０２号明細書・図面参照）で補うことができる。すなわち、前記スペーサを外枠部７３と枠体４間に介在させることで対応できる。つまり、後述する配管１１が接続された水栓本体１０が収容されているハウジング本体３に設けた複数のねじ穴５３を介して壁Ｗや床あるいはパネルの裏面側に位置する間柱やブラケットにハウジング本体３がねじ止めされ、その後、前記穴Ｈを介して外枠部７３と枠体４で壁Ｗや床あるいはパネルを挟むとともに、枠体４をカバープレート５で覆うことにより水道用コンセント２は、壁Ｗや床あるいはパネルに設置できる。
【００１０】
なお、前記枠体４は、カバープレート４の裏面に設けた複数の爪７７に係止されており、これにより、ねじ６によってハウジング本体３に固定された枠体４にカバープレート４を取り付けることができる。
【００１１】
ハウジング本体３には、流入口７、流出口８、および、セラミック製の可動ディスク９ａ、固定ディスク９ｂよりなる弁体９を有する水栓本体１０と、前記流入口７と水または湯（以下単に水という）を供給するための配管１１とを接続する接続部１２とが収容されている。この実施形態では、継手としての接続部１２は水栓本体１０に連設されている。そして、ハウジング本体３は、底部１３に前記接続部１２と前記配管１１の接続を許容する大きさの接続開口１４を有する。
【００１２】
前記接続部１２は、水栓本体１０の下部に一体に連設されている内管１５および外管１６と、内管１５および外管１６間に形成される環状の配管挿入溝Ｍに挿入されている配管１１の外周に装着されている爪付きの割りリング１７と、袋ナット１８とよりなる。
【００１３】
更に、水道用コンセント２は、流出口８から送出可能な水の流量を調整する流量調整部材１９と、この流量調整部材１９の開閉操作を前記弁体９に伝達するための伝達機構２０と、洗濯機、浄水器、食器洗い機、湯沸器などの機器の給水ホース（図示せず）の上流端に設けられた継手部材（図示せず）が着脱自在である継手部２１とを有する。継手部２１は前記流出口８の中心軸のまわりに３６０°回転可能な状態で前記流出口８に接続されている。
【００１４】
一方、カバープレート５は流量調整部材１９および継手部２１がそれぞれ配置される二つの開口２２，２３を中央部における上下位置に有する。前記開口２２は、正面視横長の長方形である。
【００１５】
また、前記配管１１としては、蛇腹状の鞘管（図示せず）によって保護される例えば水道用架橋ポリブテン管または水道用架橋ポリエチレン管などの耐久性に優れた樹脂パイプ１１ａ（図２参照）や、樹脂パイプ層にアルミニウム薄膜層が挟まれてなり鞘管が不要なように構成された樹脂パイプ１１ｂ〔図７（Ｂ）、図８参照〕や、あるいは、塩ビ製の樹脂パイプなどがある。そして、これらパイプの径に応じた接続部が用意されている。この参考例では、前記環状の配管挿入溝Ｍは、例えば１７ｍｍ径の樹脂パイプ１１ａが差し込み可能な径を有する。また、後述するように、この参考例では、例えば１９ｍｍ径の樹脂パイプ１１ａを配管として使用できる。前記樹脂パイプ１１ａは前記鞘管の内部に収容され、樹脂パイプ１１ａはこの鞘管によって配管経路上にガイドされるとともに保護されている。
【００１６】
まず、伝達機構２０を含む流量調整部材１９の開閉操作の機構について説明する。
【００１７】
流量調整部材１９は、操作爪２５とカイド片２６と連結片２７よりなる。また、伝達機構２０は、弁体９の可動ディスク９ａに嵌合係止される下面部を有する弁棒２８と、この弁棒２８に設けられ、弁棒２８と共に弁棒２８の軸心のまわりに回動する回動片２９とよりなる。そして、回動片２９は、連結片２７に設けた一対の係止溝３１，３１に係合する一対の係止突起３０，３０を有する。
【００１８】
更に、３３，３３は、前記カバープレート５の背面の上下に設けた一対の案内レールである。この案内レール３３，３３間にカイド片２６を差し込むことでカイド片２６が、カバープレート５の横方向（両矢印Ｘで示す方向）に一次元移動することが可能である。案内レール３３は、カイド片２６が外れないように先端に係止爪３３ａを有する。
【００１９】
すなわち、前記流量調整部材１９の開閉操作が一次元操作可能に構成される。
【００２０】
これにより、弁棒の軸心のまわりに流量調整部材を回動させる構成を採用している従来に比して、ハウジング１内の収容空間を小型化できるとともに、ハウジング本体３の例えば家屋の内壁からの前出しを小さくでき、ひいてはカバープレート５からの操作爪２５の前出しも小さくできて薄型の水道用コンセント２を提供できる。
【００２１】
次に、ハウジング本体３の底部１３に形成した接続開口１４と水栓本体１０との位置関係について説明する。
【００２２】
この接続開口１４は、平面視ひょうたん型の形状をなし、Ｘ方向に沿う形で一対の開口部分３５，３６を有する。
【００２３】
前記開口部分３５は、底部１３の中央に位置する一方、前記開口部分３６は、前記中央からずれた位置にある。
【００２４】
そして、前記開口部分３５には例えば１７ｍｍ径の前記樹脂パイプ１１ａ〔図６（Ａ）参照〕を挿通させ、水栓本体１０は樹脂パイプ１１ａが開口部分３５に位置するようハウジング本体３の背面部３ｃの中央にねじ３７により固定される。また、前記開口部分３６には、１７ｍｍ径の樹脂パイプ１１ａより大径の樹脂パイプ１１ｂ（あるいは、１９ｍｍ径の樹脂パイプ１１ａ）が挿通している。この場合、前記樹脂パイプ１１ｂ（あるいは、１９ｍｍ径の樹脂パイプ１１ａ）が差し込み可能な継手として前記接続部１２の配管挿入溝Ｍよりも大径の配管挿入溝を持つ、大型の接続部１２’〔図７（Ｂ）参照〕を用いることになるが、前記接続部１２でも接続部１２’でも異なる大きさのものに対して兼用できるよう前記接続開口１４の大きさが設定されている。そのため、接続部１２，１２’専用の二種類のハウジング本体は不要でハウジング本体３一つを接続部１２，１２’に兼用させることができ、成形にあたっても、一つの金型で済みコスト安にできる。
【００２５】
４０，４０は、ねじ３７の固定孔で、Ｘ方向で左右対称位置に水栓本体１０の固定片１０ｚの長さに対応する間隔Ｌを有してハウジング本体３の背面部３ｃに設けてある。この固定孔４０には内周に雌ねじ部が形成された小径の円柱部材（図示せず）がはめ込まれ、前記雌ねじ部に前記ねじ３７が螺合する。
【００２６】
このように、水栓本体１０は接続部１２が連設された状態でハウジング本体３内の両矢印Ｙで示す方向（上下方向）に縦置き設置される。
【００２７】
次に、前記鞘管を支持する鞘管ホルダについて説明する。
【００２８】
図６（Ｂ）において、４２は、前記樹脂パイプ１１ａが挿通する前記鞘管を支持する鞘管ホルダである。
【００２９】
この鞘管ホルダ４２は、鞘管挿入穴４３と、ハウジング本体３の底部１３に設けた接続開口１４の周縁に鞘管ホルダ４２を係止させるための複数対の係止爪４４，４４を有するとともに、図６（Ｂ）の二点鎖線で示すように接続開口１４の前記開口部分３５に連通するよう取り付けていた鞘管ホルダ４２を、接続開口１４に対して取り付け位置を１８０°反転させるだけで、図６（Ｂ）の実線で示すように接続開口１４の前記開口部分３６に連通するよう取り付けできるよう構成されている。
【００３０】
図７、図８は、前記接続部１２’が接続された状態で前記ハウジング本体３内に横置き設置される水栓本体１０’を備えた第２の参考例を示す。なお、図７、図８において、図１〜図６に示す符号と同一のものは同一または相当物である。水栓本体１０’は、前記水栓本体１０’と同一構成のものである。
【００３１】
図７、図８において、接続開口１４の前記開口部分３６には前記樹脂パイプ１１ｂ（あるいは、１７ｍｍ径の樹脂パイプ１１ａより大径の１９ｍｍ径の樹脂パイプ１１ａ）が挿通し、水栓本体１０’は樹脂パイプ１１ｂが開口部分３６に位置するようハウジング本体３の背面部３ｃに設けた前記固定孔４０ａ，４０ａにねじ３７止めされる。なお、固定孔４０ａ，４０ａ間の間隔はＬ’で、前記固定孔４０，４０間の間隔Ｌと同じ長さであっもよいし、異なる長さであってもよく、Ｙ方向で上下位置に水栓本体１０’の固定片１０ｚ’の長さに対応する間隔Ｌ’を有してハウジング本体３の背面部３ｃに設けてある。
【００３２】
そして、接続部１２’が連設された状態で水栓本体１０’がハウジング本体３内の上部でＸ方向（左右方向）に横置き設置されるのは以下の理由による。
【００３３】
前記接続部１２’は、上記第１の実施形態で用いた接続部１２よりも大型なので、接続部１２’が接続された水栓本体１０’を縦置きにしてハウジング本体３内に設置すると、ハウジング本体３は上記第１の参考例で用いたものであるので、接続部１２が接続開口１４の前記開口部分３５に位置した状態でハウジング本体３の底部１３からはみ出してしまうことになる。つまり、接続部１２’の下端がハウジング本体３の底部１３より上側に位置しなくなるので、内壁等に設置されている水道用コンセント２’のカバープレート５を取り外しただけでは接続部１２’および樹脂パイプ１１ｂの接続部分からの漏水がチェックできなくなる。
【００３４】
そのために、横置き設置専用の水栓本体１０’を使用し、ハウジング本体３の背面部３ｃに設けた固定孔４０ａ，４０ａにねじ３７を螺合させることにより、ハウジング本体３内の上部に水栓本体１０’を固定するとともに、この水栓本体１０’の接続穴５０に接続部１２’を接続することで接続部１２’をハウジング本体３の底部１３より上側に位置できる。この場合、接続穴５０は接続開口１４の開口部分３６直上に位置するので、樹脂パイプ１１ｂは、開口部分３６を挿通することになる。
【００３５】
このような構成により、カバープレート５は流量調整部材１９および継手部２１がそれぞれ配置される二つの開口２２’，２３’は、図１（Ａ）に示すようにＹ方向ではなく図７（Ａ）に示すようにＸ方向に沿った形で左右に配置されるとともに、前記開口２２’は、正面視縦長の長方形である。
【００３６】
なお、図５、図７において、５３は、ハウジング本体３の背面部３ｃの裏側に設けた複数の長ねじ挿入穴である。この挿入穴５３に前記長ねじを通して例えば家屋の内壁の裏面側に位置する間柱などの支持柱に前記内壁に形成した取り付け開口を介して水道用コンセント２，２’を固定設置できる。
【００３７】
図９は、流量調整部材１９’を、操作爪２５とカイド片２６と歯１９ａ付きの連結片２７’より構成するとともに、伝達機構２０の回動片２９の代わりに歯１９ａに噛合する歯１９ｂを有する回動片２９’を用いて流量調整部材１９’を一次元移動可能に配置した第３の参考例を示す。なお、図９において、図１〜図８に示す符号と同一のものは同一または相当物である。
【００３８】
図１０は、接続部１２’’と水栓本体１０’’との接続を簡易着脱部材を用いて行うように構成した第３の参考例を示す。なお、図１０において、図１〜図９に示す符号と同一のものは同一または相当物である。
図１０において、２’’は水道用コンセントで、接続用のフランジ８０を上流端部に有する水栓本体１０’’を縦置き設置してあり、前記フランジ８０に当接可能に形成されたフランジ８１を下流端部に有する接続部１２’’を設けているとともに、この接続部１２’’をハウジング３の底部１３より下方に突出させてある。
７９は、簡易着脱部材の一例としてのクリップ（例えば特願平９−６２４１６号明細書・図面参照）で、一枚の帯状の金属部材を折曲形成してなる。クリップ７９は、挿通部と、開口部と、一対の横長孔を有し、全体として弾性を有する。そして、水栓本体１０’’と配管１１ａの接続にあたっては、前記フランジ８０，８１同士を当接させた状態でクリップ７９を前記フランジ８０，８１を挟み込むように挿入することにより水栓本体１０’’に対して配管１１ａが抜け止め保持される。すなわち、クリップ７９を用いたので、水栓本体１０’’と配管１１ａの接続を容易にできる。
【００３９】
図１１、図１２は、前記鞘管ホルダ４２とは異なる構成の鞘管ホルダ６０をハウジング３の底部１３に着脱自在に設けるとともに、前記接続部１２と樹脂パイプ１１ａ（図２参照）の接続部分１５、１６、Ｍ、１７、１８からの漏水を案内してハウジング本体３の外に排出するための漏水案内部材６１を前記底部１３および鞘管ホルダ６０に着脱自在に設けたこの発明の一実施形態を示す。なお、図１１、図１２において、図１〜図１０に示す符号と同一のものは同一または相当物である。
【００４０】
図１１、図１２において、鞘管ホルダ６０は、樹脂製で、上部に開口部分６３を有し、下部に一対の円弧状の係合部分６５，６６を有する。前記開口部分６３は、前記底部１３に形成された接続開口１４に嵌め込み可能な大きさを有する。また、前記係合部分６５，６６は、鞘管６４に形成されている外周溝のうち最下流に位置する外周溝７１に係合する。また、前記開口部分６３は、接続開口１４の周縁に鞘管ホルダ６０を係止させるための２個で一組の係止爪部分６７を複数対有する。
【００４１】
また、前記漏水案内部材６１も鞘管ホルダ６０と同様に樹脂製であるが、鞘管ホルダ６０よりも軟質である。この漏水案内部材６１は、接続開口１４の開口部分３５に挿入可能で、上述した例えば１７ｍｍ径の樹脂パイプ１１ａが挿嵌可能な大きさの径を持つ挿入穴部６８と、前記接続部分１５、１６、Ｍ、１７、１８から樹脂パイプ１１ａの外周面ｅを伝わってきた漏水の受け部６９と、漏水を枠体４およびカバープレート５間の隙間を通ってハウジング本体３の外に排出するために前記受け部６９の漏水を前記隙間に案内する案内部７０とを有する。
【００４２】
而して、樹脂パイプ１１ａの下流端８０を鞘管ホルダ６０から露出させながら鞘管ホルダ６０の係合部分６５に鞘管６４の外周溝７１を嵌め込んだ状態の鞘管ホルダ６０をハウジング３の底部１３直下から接続開口１４に嵌め込み、係止爪部分６７によって鞘管ホルダ６０を底部１３に固定する。続いて、漏水案内部材６１の挿入穴部６８を開口部分３５に挿入しながら前記底部１３および鞘管ホルダ６０上に漏水案内部材６１を設置するとともに、樹脂パイプ１１ａの下流端８０を前記接続部１２に接続する。
【００４３】
なお、例えば１９ｍｍ径の樹脂パイプ１１ａを使用する場合は、１９ｍｍ径の樹脂パイプ１１ａの先端部が接続開口１４の開口部分３６を通ることになるので、１９ｍｍ径専用の漏水案内部材を用意しておく必要がある。すなわち、１９ｍｍ径の樹脂パイプ１１ａが挿嵌可能な大きさの径を持つ挿入穴部を前記挿入穴部６８の位置とは反対の側に形成するとともに、案内部を前記案内部７０の位置とは反対の側に形成した漏水案内部材を使用することで、１７ｍｍ径の樹脂パイプ１１ａより径の大きな樹脂パイプ１１ａに容易に対応できる。
【００４４】
【発明の効果】
この発明では、前出しの少ない汎用性のある水道用コンセントを提供することができる。
【図面の簡単な説明】
【図１】  （Ａ）は、第１の参考例を示す正面図である。
（Ｂ）は、上記参考例において、カバープレートを取り外した状態を示す正面図である。
【図２】  上記参考例を示す構成説明図である。
【図３】  上記参考例における要部構成説明図である。
【図４】  上記参考例における流量調整部材の動作を説明するための図である。
【図５】  上記参考例におけるハウジング本体の正面図である。
【図６】  （Ａ）は、上記参考例を示す底面図である。
（Ｂ）は、上記参考例における鞘管ホルダの動作を説明するための図である。
【図７】  （Ａ）は、第２の参考例を示す正面図である。
（Ｂ）は、上記第２の参考例において、カバープレートと枠体を取り外した状態を示す正面図である。
【図８】  上記第２の参考例を示す底面図である。
【図９】  第３の参考例における流量調整部材の動作を説明するための図である。
【図１０】  第４の参考例を示す構成説明図である。
【図１１】  この発明の一実施形態を示す要部分解斜視図である。
【図１２】  上記実施形態を示す要部構成説明図である。
【符号の説明】
１…ハウジング、２…水道用コンセント、３…ハウジング本体、３ａ…前面開口、５…カバープレート、７…流入口、８…流出口、９…弁体、１０…水栓本体、１１…配管、１２…接続部、１３…底部、１４…接続開口、１５、１６、Ｍ、１７、１８、…接続部分、１９…流量調整部材、２０…伝達機構、２１…継手部、２２，２３…開口、２５…操作爪、６１…漏水案内部材、７３…外枠部、７５…周縁部、Ｗ…壁。
【図１】
0004504603.tif 000002
【図２】
0004504603.tif 000003
【図３】
0004504603.tif 000004
【図４】
0004504603.tif 000005
【図５】
0004504603.tif 000006
【図６】
0004504603.tif 000007
【図７】
0004504603.tif 000008
【図８】
0004504603.tif 000009
【図９】
0004504603.tif 000010
【図１０】
0004504603.tif 000011
【図１１】
0004504603.tif 000012
【図１２】
0004504603.tif 000013